(57)【要約】      （修正有）【課題】光配線ユニットにおいて光モジュールを増設又は撤去する際に、既設の光モジュールに接続された現用光ケーブルへの接触を抑制する。【解決手段】光ファイバの一方の端部側に光アダプタが設けられ、前記光ファイバを収容するモジュール本体２０を有する光モジュールであって、前記モジュール本体が着脱可能なモジュールフレーム３０を有し、前記モジュール本体は、前記光ファイバの他方の端部側に本体側コネクタ部２６を備え、前記モジュールフレームは、前記本体側コネクタ部と接続されるフレーム側コネクタ部３４を備えることを特徴とする光モジュールである。【選択図】図２
2019086696.tif 000002
【特許請求の範囲】
【請求項１】
光ファイバの一方の端部側に光アダプタが設けられ、前記光ファイバを収容するモジュール本体を有する光モジュールであって、
前記モジュール本体が着脱可能なモジュールフレームを有し、
前記モジュール本体は、前記光ファイバの他方の端部側に本体側コネクタ部を備え、
前記モジュールフレームは、前記本体側コネクタ部と接続されるフレーム側コネクタ部を備える
ことを特徴とする光モジュール。
【請求項２】
請求項１に記載の光モジュールであって、
前記モジュールフレームは、前記本体側コネクタ部が前記フレーム側コネクタ部に接続する際に前記モジュール本体をガイドするガイド部を備える
ことを特徴とする光モジュール。
【請求項３】
請求項２に記載の光モジュールであって、
前記ガイド部は、前記モジュール本体を嵌め込み通すように形成された開口である
ことを特徴とする光モジュール。
【請求項４】
請求項１〜３のいずれかに記載の光モジュールであって、
前記モジュール本体は、前記モジュール本体が前記モジュールフレームに対して係止する係止部を備える
ことを特徴とする光モジュール。
【請求項５】
請求項４に記載の光モジュールであって、
前記モジュール本体が前記モジュールフレームに対して係止する力は、前記光アダプタに接続された光プラグに付与される引っ張り力より大きい
ことを特徴とする光モジュール。
【請求項６】
請求項４又は５に記載の光モジュールであって、
前記モジュール本体が前記モジュールフレームに対して係止する力は、１０ｋｇ重より大きい
ことを特徴とする光モジュール。
【請求項７】
請求項１〜６のいずれかに記載の光モジュールであって、
前記本体側コネクタ部と、前記フレーム側コネクタ部とは、バックプレーンコネクタを構成する
ことを特徴とする光モジュール。
【発明の詳細な説明】
【技術分野】
【０００１】
本発明は、光モジュールに関する。
【背景技術】
【０００２】
光配線盤や光接続箱といった各種光配線ユニットでは、光ファイバを収容する箱状の光モジュールを収容棚に複数配列収容する構成が広く採用されている。この光モジュールの端部には、光コネクタアダプタ等の光コネクタが複数設けられ、別の光ファイバとのコネクタ接続が切り替え可能となっている。このような光モジュールを用いた光配線ユニットでは、光モジュール毎に増設・撤去をすることができるため、光ファイバ回線の増設、入れ替え、撤去、光部品の収納等の作業を容易に行うことができる。
【０００３】
このような光モジュールに関連して、特許文献１には、光モジュールの両端部に光コネクタアダプタ（光コネクタアダプタ１３、１４）が取り付けられた光配線ユニットが開示されている。この光コネクタアダプタに光ファイバ（光ファイバ２ａ、２ｂ）先端の光コネクタ（光コネクタ６、７）を挿抜することにより、光モジュール内部の光ファイバを介して光配線の切り替えが可能となっている。
【先行技術文献】
【特許文献】
【０００４】
【特許文献１】特開２００５−１８１６００号公報
【発明の概要】
【発明が解決しようとする課題】
【０００５】
特許文献１に記載されているような光配線ユニットにおいては、光配線の切り替えに伴う光ファイバ回線の増設、入れ替え、光部品の収納等の作業を行う際に光モジュールを増設・撤去することになる。このとき、例えば増設対象の光モジュールにおいては、光コネクタアダプタに光コネクタを接続する必要があり、一方、撤去対象の光モジュールにおいては、光モジュールの光コネクタアダプタから光コネクタを抜去する必要がある。これらの増設・撤去対象の光モジュールの近傍には、増設・撤去対象外の光モジュールが既に設置されていることがある。そうすると、増設・撤去対象の光モジュールの光コネクタアダプタに対して光コネクタを挿抜する際に、増設・撤去対象外の光モジュールの光コネクタアダプタに接続された既設光ケーブルに触れてしまう可能性がある。現用回線としてのこれらの既設光ケーブルに触れてしまうことで、既設光ケーブルに対して曲げ損失を増大させてしまう恐れがあった。
【０００６】
本発明の幾つかの実施形態は、光配線ユニットにおいて光モジュールを増設又は撤去する際に、既設の光モジュールに接続された現用光ケーブルへの接触を抑制することを目的とする。
【課題を解決するための手段】
【０００７】
本発明の幾つかの実施形態は、光ファイバの一方の端部側に光アダプタが設けられ、前記光ファイバを収容するモジュール本体を有する光モジュールであって、前記モジュール本体が着脱可能なモジュールフレームを有し、前記モジュール本体は、前記光ファイバの他方の端部側に本体側コネクタ部を備え、前記モジュールフレームは、前記本体側コネクタ部と接続されるフレーム側コネクタ部を備えることを特徴とする光モジュールである。
【０００８】
本発明の他の特徴については、後述する明細書及び図面の記載により明らかにする。
【発明の効果】
【０００９】
本発明の幾つかの実施形態によれば、光配線ユニットにおいて光モジュールを増設又は撤去する際に、既設の光モジュールに接続された現用光ケーブルへの接触を抑制することができる。
【図面の簡単な説明】
【００１０】
【図１】図１は、第１実施形態の光モジュール１０を用いた光配線ユニット１の全体斜視図である。
【図２】図２は、第１実施形態の光モジュール１０の斜視図である。
【図３】図３Ａ及び図３Ｂは、モジュールフレーム３０にモジュール本体２０を取り付ける途中の状態を示す図（平面図及びＡ−Ａ線における断面図）である。
【図４】図４は、モジュールフレーム３０にモジュール本体２０を取り付けた状態を示す図（平面図及びＡ−Ａ線における断面図）である。
【図５】図５は、第１実施形態の光モジュール１０の係止部２７及びアダプタ部２５付近を示す断面図である。
【図６】図６は、第１実施形態の光モジュール１０の別の例を示す平面図である。
【図７】図７は、第２実施形態の光モジュール１０を用いた光配線ユニット１の全体斜視図である。
【図８】図８Ａ〜図８Ｃは、第２実施形態の光モジュール１０の変形例を示す図である。
【発明を実施するための形態】
【００１１】
後述する明細書及び図面の記載から、少なくとも以下の事項が明らかとなる。
【００１２】
光ファイバの一方の端部側に光アダプタが設けられ、前記光ファイバを収容するモジュール本体を有する光モジュールであって、前記モジュール本体が着脱可能なモジュールフレームを有し、前記モジュール本体は、前記光ファイバの他方の端部側に本体側コネクタ部を備え、前記モジュールフレームは、前記本体側コネクタ部と接続されるフレーム側コネクタ部を備えることを特徴とする光モジュールが明らかとなる。このような光モジュールによれば、光配線ユニットにおいて光モジュールを増設又は撤去する際に、既設の光モジュールに接続された現用光ケーブルへの接触を抑制することができる。
【００１３】
前記モジュールフレームは、前記本体側コネクタ部が前記フレーム側コネクタ部に接続する際に前記モジュール本体をガイドするガイド部を備えることが望ましい。これにより、本体側コネクタ部をフレーム側コネクタ部に精度よく接続させることができる。
【００１４】
前記ガイド部は、前記モジュール本体を嵌め込み通すように形成された開口であることが望ましい。これにより、本体側コネクタ部をフレーム側コネクタ部に精度よく接続させることができる。
【００１５】
前記モジュール本体は、前記モジュール本体が前記モジュールフレームに対して係止する係止部を備えることが望ましい。これにより、モジュール本体の光アダプタに接続された光プラグに対して付与された引っ張り力により、本体側コネクタ部とフレーム側コネクタ部との接続が解除されてしまうことを抑制することができる。
【００１６】
前記モジュール本体が前記モジュールフレームに対して係止する力は、前記光アダプタに接続された光プラグに付与される引っ張り力より大きいことが望ましい。これにより、モジュール本体の光アダプタに接続された光プラグに対して付与された引っ張り力により、本体側コネクタ部とフレーム側コネクタ部との接続が解除されてしまうことを抑制することができる。
【００１７】
前記モジュール本体が前記モジュールフレームに対して係止する力は、１０ｋｇ重より大きいことが望ましい。これにより、モジュール本体の光アダプタに接続された光プラグに対して付与された引っ張り力により、本体側コネクタ部とフレーム側コネクタ部との接続が解除されてしまうことを抑制することができる。
【００１８】
前記本体側コネクタ部と、前記フレーム側コネクタ部とは、バックプレーンコネクタを構成することが望ましい。これにより、光配線ユニットにおいて光モジュールを増設又は撤去する際に、既設の光モジュールに接続された現用光ケーブルへの接触を抑制することができる。
【００１９】
＝＝＝第１実施形態＝＝＝
＜光モジュール１０を用いた光配線ユニット１の全体構成＞
図１は、第１実施形態の光モジュール１０を用いた光配線ユニット１の全体斜視図である。光配線ユニット１は、ラックに搭載可能な光ケーブルの成端用の部材である。本実施形態の光配線ユニット１は、ラック６に搭載された光配線盤である。光配線ユニット１は、光配線盤の他、光接続箱や光成端箱であっても良い。また、光配線ユニット１は、ラックに搭載可能でなくても良い。
【００２０】
光配線ユニット１は、筐体８と、トレイ５と、光モジュール１０とを有する（図１参照）。筐体８は、後述する光モジュール１０が収容されたトレイ５を保持する部材であると共に、光配線ユニット１をラック６に取り付けるための部材でもある。トレイ５は、光モジュール１０を収容する部材であると共に、光モジュール１０の増設・撤去作業をする際に、増設・撤去対象の光モジュール１０を作業者側に引き出すための部材でもある。トレイ５は、筐体８の内部で上下方向に多段に積み重なっている。図１に示すように、本実施形態の光配線ユニット１では、上下方向に５段のトレイ５が積み重なっている。但し、トレイ５の積み重なる方向や、積み重なる段数はこの限りではない。トレイ５は、手前側（作業者側）に引き出すことにより、作業者は、光モジュール１０のアダプタ部２５に対して光プラグ２の挿抜作業を行うことができる。図１では、最上段のトレイ５が手前側（作業者側）に引き出されている。
【００２１】
光モジュール１０は、複数の光コネクタアダプタ等の光コネクタ（以下、「光アダプタ」と呼ぶことがある）が実装された部材である。図１に示すように、本実施形態の光モジュール１０では、光モジュール１０内に収容された光ファイバ（図１では不図示、図２の収容光ファイバ７参照）の一方の端部にそれぞれ設けられた光アダプタ（アダプタ部２５）に対して別の光ファイバ（光ケーブル３）をコネクタ接続（光プラグ２）することで、光アダプタを介して、光モジュール１０内の光ファイバと別の光ファイバとの接続を切り替え可能にすることができる。図１では、アダプタ部２５にコネクタ接続された光プラグ２を３個のみ図示している。また、光プラグ２に接続された光ケーブル３は、トレイ５内に束状に載置され、トレイ５に形成された光ケーブル挿通口５Ａを介してトレイ５の外部に引き出されている。なお、光モジュール１０内に収容された光ファイバ（図１では不図示、図２の収容光ファイバ７参照）の他方の端部は、後述するフレーム側コネクタ部３４を介して幹線ケーブル４と接続されている。
【００２２】
光モジュール１０は、トレイ５に横置き横並びに複数配列収容されている。図１に示すように、本実施形態の光モジュール１０では、４個の光モジュール１０が横置き横並びに収容されている。但し、光モジュール１０の配列の方向や配列の数はこの限りではない。また、光モジュール１０は、トレイ５に収容されず、筐体８に直接取り付けられても良い。なお、光モジュール１０が筐体８に直接取り付けられた場合においても、後述するようにモジュール本体２０はモジュールフレーム３０に対して着脱可能である。
【００２３】
＜光モジュール１０＞
図２は、第１実施形態の光モジュール１０の斜視図である。なお、図２では、左右方向に並んだ光モジュール１０の内、一つの光モジュール１０について実線で示し、この光モジュール１０の左右隣に配置された光モジュール１０については、破線で示している。また、図２では、モジュールフレーム３０に対してモジュール本体２０を取り外した状態を示している。また、図２では、本体側コネクタ部２６を示すために、後述するケース部２１の蓋部２２の図示を一部省略している。
【００２４】
光モジュール１０は、モジュール本体２０と、モジュールフレーム３０とを有する。
【００２５】
以下の説明では、図に示すように各方向を定義する。すなわち、モジュールフレーム３０に対するモジュール本体２０の着脱方向を「前後方向」とし、モジュールフレーム３０に対してモジュール本体２０を取り外す（抜き出す）方向の側を「前」とし、モジュールフレーム３０に対してモジュール本体２０を取り付ける（差し込む）方向の側を「後」とする。モジュールフレーム３０の底面部３３に垂直な方向を「上下方向」とし、底面部３３に対して上板部３１の側を「上」とし、逆側を「後」とする。また、前後方向及び上下方向に垂直な方向を「左右方向」とし、前側から後側を見たときの右側を「右」とし、左側を「左」とする。
【００２６】
モジュール本体２０は、複数の光アダプタが実装された部位である。モジュール本体２０は、箱状に形成された部材である。モジュール本体２０は、ケース部２１と、アダプタ部２５と、本体側コネクタ部２６とを有する（図２参照）。なお、後述するように、モジュール本体２０をモジュールフレーム３０に対して差し込むことにより、モジュール本体２０の本体側コネクタ部２６をモジュールフレーム３０のフレーム側コネクタ部３４に接続させることができる。
【００２７】
ケース部２１は、アダプタ部２５と本体側コネクタ部２６とを接続する光ファイバ（収容光ファイバ７）を収容する部材であると共に、アダプタ部２５及び本体側コネクタ部２６を保持する部材でもある。ケース部２１は、水平方向に扁平な直方体形状をしている。ケース部２１は内部が空洞となっており、これにより、ケース部２１の内部に収容光ファイバ７を収容することができる。収容光ファイバ７の前側の端部は、モジュール本体２０（ケース部２１）の前側端部に取り付けられたアダプタ部２５にコネクタ接続されている（図２では不図示）。また、収容光ファイバ７の後側の端部は、ケース部２１（モジュール本体２０）の後側端部に取り付けられた本体側コネクタ部２６にコネクタ接続されている。なお、ケース部２１は、収容光ファイバ７について分岐部や融着接続部を収容しても良い。
【００２８】
ケース部２１は、蓋部２２と、ケース側板２３と、ケース底板２４とを有する。
【００２９】
蓋部２２は、ケース部２１において上部を覆う部位である。後述するように、ケース部２１（モジュール本体２０）をモジュールフレーム３０の本体差し込み口３６に対して差し込む際に、蓋部２２の上面がモジュールフレーム３０の上板部３１の下面に当接する。蓋部２１の上面には、係止部２７が設けられている（図２参照）。
【００３０】
係止部２７は、モジュール本体２０をモジュールフレーム３０に対して係止させる部位である。なお、後述するように、モジュールフレーム３０は光配線ユニット１のトレイ５に対して固定されているので、係止部２７によりモジュール本体２０がモジュールフレーム３０に対して係止されることで、係止状態のモジュール本体２０はトレイ５に対して固定されていることになる。図２に示すように、本実施形態の係止部２７は、蓋部２２において後方（本体側コネクタ部２６の側）に延び出るように片持ち梁状に形成されている。これにより、本実施形態の係止部２７は、上下方向に弾性変形可能に構成されている。なお、係止部２７の詳細な機能については、後述する。
【００３１】
係止部２７は、係止凸部２８と、係止解除部２９とを有する。
【００３２】
係止凸部２８は、モジュール本体２０をモジュールフレーム３０に対して係止させる際に、上板部３１の被係止部３１Ａに対してラッチする部位である。係止凸部２８は、係止部２７において上方に凸となるように形成された部位であり、これにより、上板部３１の被係止部３１Ａにラッチすることができる。また、係止凸部２８は、後述する係止解除部２９より後方（本体側コネクタ部２６の側）に設けられ、係止部２７の端部に設けられている。
【００３３】
係止解除部２９は、モジュール本体２０のモジュールフレーム３０に対する係止を解除する際に、係止部２７の上板部３１に対するラッチを解除する部位である。係止解除部２９は、係止部２７の前方（アダプタ部２５の側）に設けられ、片持ち梁状に形成された係止部２７の根元側（アダプタ部２５の側）に設けられている。作業者が係止解除部２９を下方に押圧することで、片持ち梁状に形成された係止部２７が下方に弾性変形し、係止凸部２８が下方に移動することになる。これにより、係止凸部２８の被係止部３１Ａに対するラッチを解除することができ、モジュール本体２０のモジュールフレーム３０に対する係止を解除することができる。モジュールフレーム３０に対する係止を解除したモジュール本体２０は、モジュールフレーム３０から取り外す（抜き出す）ことができる。
【００３４】
ケース側板２３は、ケース部２１において側部を覆う部位である。後方に位置するケース側板２３には、本体側コネクタ部２６が取り付けられている。後述するように、ケース部２１（モジュール本体２０）をモジュールフレーム３０の本体差し込み口３６に対して差し込む際に、ケース側板２３の外面がモジュールフレーム３０の側面部３２の内面に当接する。なお、ケース側板２３（ケース部２１）には、ケース部２１が後側にいくほど幅が小さくなるように、ケース部２１に左右一対のテーパ面２３Ａが形成されている。これにより、モジュール本体２０をモジュールフレーム３０の本体差し込み口３６に容易に差し込むことができる。
【００３５】
ケース底板２４は、ケース部２１において底部を覆う部材である。後述するように、ケース部２１（モジュール本体２０）をモジュールフレーム３０の本体差し込み口３６に対して差し込む際に、ケース底板２４の外面がモジュールフレーム３０の底面部３３の内面（上面）に当接する。
【００３６】
アダプタ部２５は、光ファイバをコネクタ接続することで、当該光ファイバと光モジュール１０内の収容光ファイバ７との接続を切り替え可能にする部材である。アダプタ部２５は、複数の収容光ファイバ７の一方の端部にそれぞれ設けられた光アダプタである。図２に示すように、本実施形態の光モジュール１０では、１２個のアダプタ部２５が左右方向に配列するように設けられている。但し、アダプタ部２５の配列方向と配列の数とはこれに限られない。
【００３７】
本体側コネクタ部２６は、モジュール本体２０のケース部２１に収容された収容光ファイバ７をモジュールフレーム３０の幹線ケーブル４内の光ファイバと接続するための部材である。本実施形態の本体側コネクタ部２６は、後述するフレーム側コネクタ部３４と共に、バックプレーンコネクタにより構成されている。バックプレーンコネクタでは、プラグインユニットにプリントボードを差し込むことによって、プラグインユニットのバックプレーンに取り付けられた光コネクタ（以下、「バックプレーン側コネクタ」と呼ぶことがある）と、プリントボードに取り付けられた光コネクタ（以下、「プリントボード側コネクタ」と呼ぶことがある）とを接続する光コネクタである。本実施形態の本体側コネクタ部２６は、バックプレーン側コネクタのハウジング（本体側コネクタハウジング２６Ａ）と、本体側コネクタハウジング２６Ａに挿入されたＭＰＯコネクタ（ＪＩＳ  Ｃ  ５９８２に制定されるＦ１３形多心光ファイバコネクタ、本体側コネクタプラグ２６Ｂ）により構成されている。但し、後述するフレーム側コネクタ部３４をバックプレーン側コネクタで構成する場合、本体側コネクタ部２６をプリントボード側コネクタで構成してもよい。すなわち、本体側コネクタ部２６が、プリントボード側コネクタのハウジング（本体側コネクタハウジング２６Ａ）と、本体側コネクタハウジング２６Ａに挿入されたＭＰＯコネクタ（本体側コネクタプラグ２６Ｂ）により構成されてもよい。但し、本体側コネクタ部２６は、その他のコネクタ部材であっても良い。
【００３８】
モジュールフレーム３０は、モジュール本体２０を保持する部材である。なお、モジュールフレーム３０は、モジュール本体２０が着脱可能に構成されている。本実施形態の光モジュール１０では、モジュール本体２０をモジュールフレーム３０に対して取り付ける（差し込む）ことにより、モジュール本体２０の本体側コネクタ部２６をモジュールフレーム３０のフレーム側コネクタ部３４に接続させることができる。また、モジュール本体２０をモジュールフレーム３０に対して取り外す（抜き出す）ことにより、モジュール本体２０の本体側コネクタ部２６とモジュールフレーム３０のフレーム側コネクタ部３４との接続を解除することができる。
【００３９】
また、モジュールフレーム３０は光配線ユニット１のトレイ５（図２では不図示、図１参照）に対して固定されている。モジュールフレーム３０は、上板部３１と、側面部３２と、底面部３３と、フレーム側コネクタ部３４とを有する。なお、モジュールフレーム３０の上板部３１、側面部３２及び底面部３３で囲まれた開口は、本体差し込み口３６と呼ぶことがある。
【００４０】
上板部３１は、モジュール本体２０をモジュールフレーム３０に対して差し込む際に蓋部２２の上面が当接する部位であると共に、モジュール本体２０をモジュールフレーム３０に対して係止させる際に係止部２７がラッチする部位でもある。側面部３２は、モジュール本体２０をモジュールフレーム３０に対して差し込む際にケース側板２３の外面が当接する部位である。底面部３３は、モジュール本体２０をモジュールフレーム３０に対して差し込む際にケース底板２４の外面が当接する部位である。
【００４１】
本実施形態の光モジュール１０では、ケース部２１（モジュール本体２０）をモジュールフレーム３０の本体差し込み口３６に嵌め込み通すことで、蓋部２２の上面がモジュールフレーム３０の上板部３１の下面に当接する。また、ケース部２１（モジュール本体２０）をモジュールフレーム３０の本体差し込み口３６に嵌め込み通すことで、ケース側板２３の外面がモジュールフレーム３０の側面部３２の内面に当接する。また、ケース部２１（モジュール本体２０）をモジュールフレーム３０の本体差し込み口３６に嵌め込み通すことで、ケース底板２４の外面がモジュールフレーム３０の底面部３３の内面（上面）に当接する。つまり、本体差し込み口３６は、ケース部２１（モジュール本体２０）をモジュールフレーム３０に差し込む際のガイド部となる。これにより、ケース部２１（モジュール本体２０）が、モジュールフレーム３０に対して上下方向及び左右方向（前後方向に垂直な方向）に位置合わせされる。したがって、作業者は、モジュール本体２０の体側コネクタ部２６をモジュールフレーム３０のフレーム側コネクタ部３４に対して精度良く接続させることができる。
【００４２】
フレーム側コネクタ部３４は、モジュール本体２０のケース部２１に収容された収容光ファイバ７をモジュールフレーム３０の幹線ケーブル４内の光ファイバと接続するための部材である。本実施形態のフレーム側コネクタ部３４は、前述した本体側コネクタ部２６と共に、バックプレーンコネクタにより構成されている。本実施形態のフレーム側コネクタ部３４は、プリントボード側コネクタのハウジング（フレーム側コネクタハウジング３４Ａ）と、フレーム側コネクタハウジング３４Ａに挿入されたＭＰＯコネクタ（フレーム側コネクタプラグ３４Ｂ）により構成されている。但し、前述した本体側コネクタ部２６をプリントボード側コネクタで構成する場合、フレーム側コネクタ部３４をバックプレーン側コネクタで構成してもよい。すなわち、フレーム側コネクタ部３４が、バックプレーン側コネクタのハウジング（フレーム側コネクタハウジング３４Ａ）と、フレーム側コネクタハウジング３４Ａに挿入されたＭＰＯコネクタ（フレーム側コネクタプラグ３４Ｂ）により構成されてもよい。但し、フレーム側コネクタ部３４は、その他のコネクタ部材であっても良い。
【００４３】
＜モジュールフレーム３０に対するモジュール本体２０の取付け及び取り外し手順＞
図３Ａ及び図３Ｂは、モジュールフレーム３０にモジュール本体２０を取り付ける途中の状態を示す図（平面図及びＡ−Ａ線における断面図）である。図４は、モジュールフレーム３０にモジュール本体２０を取り付けた状態を示す図（平面図及びＡ−Ａ線における断面図）である。なお、図３Ａ、図３Ｂ及び図４においては、それぞれ図の上部に光モジュール１０の平面図を示し、図の下部に光モジュール１０の平面図中のＡ−Ａ線における光モジュール１０の断面図を示している。
【００４４】
以下の説明では、モジュールフレーム３０に対してモジュール本体２０を取り付ける（差し込む）手順を示す。なお、以下では、図２に示すように、モジュールフレーム３０からモジュール本体２０を取り外した状態のことを「取り外し状態」と呼ぶことがある。また、図４に示すように、モジュールフレーム３０にモジュール本体２０を取り付けた状態のことを「取り付け状態」と呼ぶことがある。なお、取り付け状態においては、モジュール本体２０の本体側コネクタ部２６とモジュールフレーム３０のフレーム側コネクタ部３４とが接続されている。さらに、図３Ａ及び図３Ｂに示すように、「取り外し状態」から「取り付け状態」に移行する途中の状態のことを「スライド途中状態」と呼ぶことがある。なお、取り外し状態及びスライド途中状態においては、モジュール本体２０の本体側コネクタ部２６とモジュールフレーム３０のフレーム側コネクタ部３４との接続が解除されている。
【００４５】
前述したように、本実施形態の光モジュール１０では、モジュールフレーム３０にモジュール本体２０を取り付ける（差し込む）ことで、モジュール本体２０の本体側コネクタ部２６がモジュールフレーム３０のフレーム側コネクタ部３４に接続される。これにより、モジュール本体２０のアダプタ部２５において光プラグ２によりコネクタ接続された光ケーブル３は、モジュール本体２０内部に収容された収容光ファイバ７を介して、モジュールフレーム３０側の幹線ケーブル４と光接続されることになる。
【００４６】
本実施形態の光モジュール１０を用いた光配線ユニット１において、ラック６に光配線ユニット１を設置する際に、モジュールフレーム３０を光配線ユニット１のトレイ５に固定しておく。さらにモジュールフレーム３０には、フレーム側コネクタ部３４を端部に設けた幹線ケーブル４が取り付けられる。そして、光モジュール１０を増設しようとする作業者は、まずは前述したモジュール本体２０を用意する。作業者は、増設対象となる光モジュール１０のモジュールフレーム３０に対して、モジュール本体２０の本体側コネクタ部２６を前側（モジュールフレーム３０の側）に向けて、モジュールフレーム３０の本体差し込み口３６に差し込むように移動させる。前述したように、モジュール本体２０のケース側板２３（ケース部２１）には、ケース部２１が後側にいくほど幅が小さくなるように、ケース部２１に左右一対のテーパ面２３Ａが形成されているので、作業者は、モジュール本体２０をモジュールフレーム３０の本体差し込み口３６に容易に差し込むことができる。
【００４７】
図３Ａは、モジュールフレーム３０の本体差し込み口３６に対してモジュール本体２０を嵌め込み通し始めるときの様子を示す図である。本体差し込み口３６にモジュール本体２０を嵌め込み通すことにより、モジュール本体２０の蓋部２２の上面がモジュールフレーム３０の上板部３１の下面に当接し、モジュール本体２０のケース側板２３の外面がモジュールフレーム３０の側面部３２の内面に当接し、モジュール本体２０のケース底板２４の外面がモジュールフレーム３０の底面部３３の内面（上面）に当接する。これにより、モジュールフレーム３０に対するモジュール本体２０の上下方向及び左右方向の位置決めがなされる。そして、モジュールフレーム３０に対するモジュール本体２０の上下方向及び左右方向の位置決めがなされることにより、モジュール本体２０の本体側コネクタ部２６とフレーム側コネクタ部３４とを精度良く接続させることができる。
【００４８】
図３Ｂは、本体側コネクタ部２６の本体側コネクタハウジング２６Ａに対して、フレーム側コネクタ部３４のフレーム側コネクタハウジング３４Ａが嵌合し始めるときの様子を示す図である。前述したように、モジュールフレーム３０に対するモジュール本体２０の上下方向及び左右方向の位置決めがなされているので、本体側コネクタハウジング２６Ａに対してフレーム側コネクタハウジング３４Ａを精度良く嵌合させることができる。なお、この後、モジュール本体２０をさらにモジュールフレーム３０側に移動させることにより、モジュール本体２０の係止凸部２８は、モジュールフレーム３０の上板部３１の下面に当接し、下方に弾性変形する。これにより、モジュールフレーム３０の本体差し込み口３６に対してモジュール本体２０を嵌め込み通すことができる。
【００４９】
図４は、モジュール本体２０の本体側コネクタ部２６がモジュールフレーム３０のフレーム側コネクタ部３４に接続された様子を示す図である。モジュールフレーム３０の上板部３１の下面に当接し下方に弾性変形したモジュール本体２０の係止凸部２８は、モジュールフレーム３０の上板部３１の被係止部３１Ａにおいて再び上方に移動し、被係止部３１Ａに対してラッチされる。これにより、モジュール本体２０をモジュールフレーム３０に対して係止することができる。なお、本実施形態の光モジュール１０では、モジュール本体２０の本体側コネクタ部２６がモジュールフレーム３０のフレーム側コネクタ部３４に接続される時点において、モジュール本体２０がモジュールフレーム３０に対して係止されることになる。
【００５０】
本実施形態の光モジュール１０では、モジュール本体２０をモジュールフレーム３０に対して取り付ける（差し込む）ことにより、モジュール本体２０の本体側コネクタ部２６をモジュールフレーム３０のフレーム側コネクタ部３４に接続させることができる。これにより、光配線ユニット１において光モジュールを増設する際に、既設の光モジュールに接続された現用光ケーブル（幹線ケーブル４）への接触を抑制することができる。
【００５１】
なお、光モジュール１０を撤去しようとする作業者は、モジュールフレーム３０からモジュール本体２０を取り外す（抜き出す）ことにより、モジュール本体２０の本体側コネクタ部２６とモジュールフレーム３０のフレーム側コネクタ部３４との接続を解除することができる。モジュールフレーム３０からモジュール本体２０を取り外す際、モジュール本体２０のモジュールフレーム３０に対する係止（係止凸部２８の被係止部３１Ａに対するラッチ）を解除する力と、本体側コネクタハウジング２６Ａに対するフレーム側コネクタハウジング３４Ａの嵌合を解除する力とを合わせた力でモジュールフレーム３０からモジュール本体２０を取り外す（抜き出す）ことになる。これにより、光配線ユニット１において光モジュールを撤去する際に、既設の光モジュールに接続された現用光ケーブル（幹線ケーブル４）への接触を抑制することができる。
【００５２】
＜係止部２７＞
図５は、第１実施形態の光モジュール１０の係止部２７及びアダプタ部２５付近を示す断面図である。なお、図５は、モジュールフレーム３０にモジュール本体２０を取り付けた状態における係止部２７及びアダプタ部２５付近を示す。このとき、係止部２７では、図５に示すように、係止凸部２８が上板部３１の被係止部３１Ａに対してラッチされている。これにより、前述したように、モジュール本体２０をモジュールフレーム３０に対して係止させることができる。
【００５３】
取り付け状態における光モジュール１０では、アダプタ部２５に接続された光ケーブル３（光プラグ２）に付与される引っ張り力（図５中のＦ）により、モジュールフレーム３０からモジュール本体２０が取り外される方向に力が付与される。つまり、モジュール本体２０の係止部２７においては、係止凸部２８が上板部３１の被係止部３１Ａからラッチが外れる向きに力が付与される。本実施形態の係止部２７では、係止凸部２８が上板部３１の被係止部３１Ａに対してラッチする力（モジュール本体２０がモジュールフレーム３０に対して係止する力）は、光ケーブル３（光プラグ２）に付与される引っ張り力よりも大きい。なお、光ケーブル３（光プラグ２）に付与される引っ張り力は最大１０ｋｇ重程度である。したがって、係止凸部２８が上板部３１の被係止部３１Ａに対してラッチする力（モジュール本体２０がモジュールフレーム３０に対して係止する力）は、１０ｋｇ重より大きいことが望ましい。さらに、アダプタ部２５に接続された光プラグ２の抜去動作によっても、モジュールフレーム３０からモジュール本体２０が取り外される方向に力が付与される。したがって、係止凸部２８が上板部３１の被係止部３１Ａに対してラッチする力（モジュール本体２０がモジュールフレーム３０に対して係止する力）は、２０ｋｇ重より大きいことがさらに望ましい。
【００５４】
＜アダプタ部２５＞
また、図５に示すように、アダプタ部２５は、ケース底板２４（ケース部２１）に対して上側に傾斜して設けられている。本実施形態の光モジュール１０では、アダプタ部２５は、ケース底板２４（ケース部２１）に対して、例えば４度上側に傾斜して設けられている。したがって、アダプタ部２５に接続される光プラグ２の挿抜も、傾斜して行われることになる。一方、図５に示すように、本実施形態の光モジュール１０では、アダプタ部２５に接続された光ケーブル３の束がトレイ５に載置されることがある。このように、アダプタ部２５がケース底板２４（ケース部２１）に対して上側に傾斜して設けられていることにより、トレイ５に載置された光ケーブル３の束をよけてアダプタ部２５に対して光プラグ２の挿抜を行うことができる。これにより、トレイ５上に光ケーブル３の束が載置されている場合でも、光プラグ２の挿抜を容易に行うことができる。また、アダプタ部２５を清掃する場合も、トレイ５に載置された光ケーブル３の束をよけて清掃工具（不図示）を挿入することができる。
【００５５】
＜光モジュール１０の別の例＞
図６は、第１実施形態の光モジュール１０の別の例における平面図である。前述の実施形態では、本体側コネクタ部２６とフレーム側コネクタ部３４とは、バックプレーンコネクタにより構成されていた。図６に示す第１実施形態の別の例では、ＭＰＯコネクタ（ＪＩＳ  Ｃ  ５９８２に制定されるＦ１３形多心光ファイバコネクタ）により構成されても良い。第１実施形態の別の例においても、アダプタ部２５を備えるモジュール本体２０を、トレイ５（図６では不図示、図１参照）に取り付けられたモジュールフレーム３０に着脱することで、本体側コネクタ部２６とフレーム側コネクタ部３４とを着脱することができ、光配線ユニット１において光モジュールを増設又は撤去することができる。したがって、既設の光モジュールに接続された現用光ケーブル（幹線ケーブル４）への接触を抑制することができる。なお、図６に示す別の例では、ＭＰＯコネクタ同士を接続するためのアダプタハウジング（フレーム側コネクタハウジング３４Ａ）がフレーム側コネクタ部３４側に設けられていたが、本体側コネクタ部２６側に設けられても良い。
【００５６】
＝＝＝第２実施形態＝＝＝
＜縦置き配列される光モジュール１０＞
図７は、第２実施形態の光モジュール１０を用いた光配線ユニット１の全体斜視図である。前述の第１実施形態の光モジュール１０を用いた光配線ユニット１では、光モジュール１０がトレイ５に横置き横並びに複数配列収容されていた。本実施形態の光モジュール１０を用いた光配線ユニット１では、光モジュール１０が縦置き横並びに配列されても良い。また、光モジュール１０がトレイ５に収容されるのではなく、筐体８に直接取り付けられても良い。なお、本実施形態の光モジュール１０においても、モジュール本体２０はモジュールフレーム３０に対して着脱可能である。さらに、モジュール本体２０は本体側コネクタ部２６を備え、モジュールフレーム３０は、本体側コネクタ部２６と接続されるフレーム側コネクタ部３４を備えている。これにより、本実施形態においても、アダプタ部２５を備えるモジュール本体２０を、筐体８に直接取り付けられたモジュールフレーム３０に着脱することで、光配線ユニット１において光モジュールを増設又は撤去することができる。したがって、既設の光モジュールに接続された現用光ケーブル（幹線ケーブル４）への接触を抑制することができる。
【００５７】
＜光モジュール１０の変形例＞
図８Ａ〜図８Ｃは、第２実施形態の光モジュール１０の変形例を示す図である。なお、図８Ａ〜図８Ｃは、光モジュール１０を増設する場合の例を示している。前述したように、図７に示す光モジュール１０では、モジュール本体２０をモジュールフレーム３０に対して着脱する方向（前後方向）と、モジュール本体２０に設けられた本体側コネクタ部２６をモジュールフレーム３０に設けられたフレーム側コネクタ部３４に対して着脱する方向（前後方向）とが一致していた。本変形例の光モジュール１０では、モジュール本体２０をモジュールフレーム３０に対して着脱する方向と、本体側コネクタ部２６をフレーム側コネクタ部３４に対して着脱する方向が異なっていても良い。本変形例の光モジュール１０では、図８Ａに示すように、本体側コネクタ部２６は、モジュール本体２０のケース部２１の下部に設けられている。また、フレーム側コネクタ部３４は、モジュールフレーム３０の下部に設けられている。
【００５８】
光モジュール１０を増設する際、作業者は、まずモジュール本体２０をモジュールフレーム３０に対して図８Ａに示す矢印方向（後方向）に差し込む。このとき、図８Ｂに示すように、作業者は、モジュール本体２０の後側端面がモジュールフレーム３０の内部の奥に突き当たるまでモジュール本体２０をモジュールフレーム３０に対して差し込むことになる。なお、モジュールフレーム３０内部の上下方向の高さは、ケース部２１（モジュール本体２０）の上下方向の高さと比べて、フレーム側コネクタ部３４の上下方向の高さの分だけ大きく形成されている。これにより、モジュール本体２０をモジュールフレーム３０の奥まで差し込む際に、ケース部２１（モジュール本体２０）がフレーム側コネクタ部３４にぶつかってしまうことを抑制することができる。
【００５９】
モジュール本体２０をモジュールフレーム３０の奥まで差し込んだ後、作業者は、図８Ｂに示す矢印方向（下方向）にモジュール本体２０を移動させる。なお、モジュール本体２０をモジュールフレーム３０の奥まで差し込んだ状態において、モジュール本体２０における本体側コネクタ部２６と、モジュールフレーム３０のフレーム側コネクタ部３４との前後方向の位置が一致するように設けられている。これにより、モジュール本体２０をモジュールフレーム３０の奥まで差し込んだ後、下方向にモジュール本体２０を移動させるだけで、本体側コネクタ部２６をフレーム側コネクタ部３４に対して接続することができる（図８Ｃ参照）。
【００６０】
なお、光モジュール１０を撤去する場合、作業者は、図８Ｃに示すモジュール本体２０を上方向に移動させる。これにより、図８Ｂに示す状態と同様に、本体側コネクタ部２６とフレーム側コネクタ部３４との接続を解除できる。さらに、モジュール本体２０を前方向に移動させることにより、図８Ａに示す状態と同様に、モジュール本体２０をモジュールフレーム３０から抜き出すことになる。
【００６１】
前述したように、本変形例の光モジュール１０では、モジュール本体２０をモジュールフレーム３０に対して着脱する方向（前後方向）と、本体側コネクタ部２６をフレーム側コネクタ部３４に対して着脱する方向（上下方向）が異なっている。本変形例の光モジュール１０においても、モジュール本体２０はモジュールフレーム３０に対して着脱可能である。さらに、モジュール本体２０は本体側コネクタ部２６を備え、モジュールフレーム３０は、本体側コネクタ部２６と接続されるフレーム側コネクタ部３４を備えている。これにより、本変形例においても、アダプタ部２５を備えるモジュール本体２０を、筐体８に直接取り付けられたモジュールフレーム３０に着脱することで、光配線ユニット１において光モジュールを増設又は撤去することができる。したがって、既設の光モジュールに接続された現用光ケーブル（幹線ケーブル４）への接触を抑制することができる。
【００６２】
＝＝＝小括＝＝＝
上記実施形態の光モジュール１０は、図２に示すように、収容光ファイバ７の一方の端部側にアダプタ部２５が設けられ、収容光ファイバ７を収容するモジュール本体２０を有する光モジュール１０である。そして、上記実施形態では、光モジュール１０は、モジュール本体２０が着脱可能なモジュールフレーム３０を有し、モジュール本体２０は、収容光ファイバ７の他方の端部側に本体側コネクタ部２６を備え、モジュールフレーム３０は、本体側コネクタ部２６と接続されるフレーム側コネクタ部３４を備える。これにより、上記実施形態では、光配線ユニット１において光モジュールを増設又は撤去する際に、既設の光モジュールに接続された現用光ケーブル（幹線ケーブル４）への接触を抑制することができる。
【００６３】
また、上記実施形態の光モジュール１０では、図２〜図４に示すように、モジュールフレーム３０は、本体側コネクタ部２６がフレーム側コネクタ部３４に接続する際にモジュール本体２０をガイドするガイド部（本体差し込み口３６）を備える。これにより、上記実施形態では、本体側コネクタ部２６をフレーム側コネクタ部３４に精度よく接続させることができる。
【００６４】
また、上記実施形態の光モジュール１０では、図２〜図４に示すように、モジュール本体２０をガイドするガイド部は、モジュール本体２０を嵌め込み通すように形成された開口（本体差し込み口３６）である。これにより、上記実施形態では、本体側コネクタ部２６をフレーム側コネクタ部３４に精度よく接続させることができる。
【００６５】
また、上記実施形態の光モジュール１０では、図４又は図５に示すように、モジュール本体２０は、モジュール本体２０がモジュールフレーム３０に対して係止する係止部２７を備える。これにより、上記実施形態では、モジュール本体２０のアダプタ部２５に接続された光プラグ２に対して付与された引っ張り力により、本体側コネクタ部２６とフレーム側コネクタ部３４との接続が解除されてしまうことを抑制することができる。
【００６６】
また、上記実施形態の光モジュール１０では、図５に示すように、モジュール本体２０がモジュールフレーム３０に対して係止する力は、アダプタ部２５に接続された光プラグ２に付与される引っ張り力より大きい。これにより、上記実施形態では、モジュール本体２０のアダプタ部２５に接続された光プラグ２に対して付与された引っ張り力により、本体側コネクタ部２６とフレーム側コネクタ部３４との接続が解除されてしまうことを抑制することができる。
【００６７】
また、上記実施形態の光モジュール１０では、モジュール本体２０がモジュールフレーム３０に対して係止する力は、１０ｋｇ重より大きい。これにより、上記実施形態では、モジュール本体２０のアダプタ部２５に接続された光プラグ２に対して付与された引っ張り力により、本体側コネクタ部２６とフレーム側コネクタ部３４との接続が解除されてしまうことを抑制することができる。
【００６８】
また、上記実施形態の光モジュール１０では、本体側コネクタ部２６と、フレーム側コネクタ部３４とは、バックプレーンコネクタを構成する。これにより、上記実施形態では、光配線ユニット１において光モジュールを増設又は撤去する際に、既設の光モジュールに接続された現用光ケーブル（幹線ケーブル４）への接触を抑制することができる。
【００６９】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００７０】
１  光配線ユニット、２  光プラグ、３  光ケーブル、４  幹線ケーブル、
５  トレイ、５Ａ  光ケーブル挿通口、６  ラック、７  収容光ファイバ、
８  筐体、１０  光モジュール、
２０  モジュール本体、２１  ケース部、
２２  蓋部、２３  ケース側板、２３Ａ  テーパ面、２４  ケース底板、
２５  アダプタ部、２６  本体側コネクタ部、
２６Ａ  本体側コネクタハウジング、２６Ｂ  本体側コネクタプラグ、
２７  係止部、２８  係止凸部、２９  係止解除部、
３０  モジュールフレーム、３１  上板部、３１Ａ  被係止部、
３２  側面部、３３  底面部、３４  フレーム側コネクタ部、
３４Ａ  フレーム側コネクタハウジング、３４Ｂ  フレーム側コネクタプラグ、
３５  コネクタ側ラッチ部、３６  本体差し込み口
【図１】
2019086696.tif 000003
【図２】
2019086696.tif 000004
【図３】
2019086696.tif 000005
【図４】
2019086696.tif 000006
【図５】
2019086696.tif 000007
【図６】
2019086696.tif 000008
【図７】
2019086696.tif 000009
【図８】
2019086696.tif 000010